(57)【要約】【課題】欠落などの発生が抑制された、多層構造の隔壁が、精度良く形成されたプラズマディスプレイパネルを実現することを目的とする。【解決手段】隔壁１３が、少なくとも２層１３ａ、１３ｂの積層構造であり、頂部１３ｃの表面粗さが、積層した層の界面１３ｄでの粗さより小さいことを特徴とするプラズマディスプレイパネルである。このような隔壁１３によれば、放電空間１５を十分に仕切ることができ、かつ、積層した界面１３ｄにおいては十分な付着強度が得られる。【選択図】  図２
2005032539.tif 000002
【特許請求の範囲】
【請求項１】
走査電極と維持電極とからなる表示電極を複数形成した前面板と、データ電極を表示電極に対して直交するように複数形成した背面板とを、前面板と背面板とのいずれか一方に形成した隔壁を挟んで内部に放電空間を形成するように対向配置したプラズマディスプレイパネルにおいて、隔壁は、少なくとも２層の積層構造であり、頂部の表面粗さが、積層した層の界面での粗さより小さいことを特徴とするプラズマディスプレイパネル。
【発明の詳細な説明】
【０００１】
【発明の属する技術分野】
本発明は、表示デバイスとして知られているプラズマディスプレイパネルに関するものである。
【０００２】
【従来の技術】
プラズマディスプレイパネル（ＰＤＰ）は、大画面のフルカラー表示装置として注目されており、特に、ＡＣ型３電極面放電構造のＰＤＰは、既に多く実用化されている。このような、従来のＡＣ型３電極面放電構造のＰＤＰの構造について図面を用いて説明する。
【０００３】
図４は、従来のＰＤＰの概略構成の一例を示す断面斜視図である。
【０００４】
図４に示すように、ＰＤＰ１０１の前面板１０２は、例えばフロートガラスのような、平滑で、透明且つ絶縁性の基板１０３上に、走査電極１０４と維持電極１０５とからなる表示電極１０６を複数形成し、そしてその表示電極１０６を覆うように誘電体層１０７を形成し、さらにその誘電体層１０７上にＭｇＯからなる保護層１０８を形成することにより構成している。なお、走査電極１０４および維持電極１０５は、それぞれ放電電極となる透明電極１０４ａ、１０５ａおよびこの透明電極１０４ａ、１０５ａに電気的に接続されたＣｒ／Ｃｕ／ＣｒまたはＡｇ等からなるバス電極１０４ｂ、１０５ｂとから構成されている。
【０００５】
また、背面板１０９は、例えばガラスのような絶縁性の基板１１０上に、アドレス電極１１１を複数形成し、このアドレス電極１１１を覆うように誘電体層１１２を形成している。そしてこの誘電体層１１２上の、アドレス電極１１１間に対応する位置には隔壁１１３を設けており、誘電体層１１２の表面と隔壁１１３の側面にかけて赤、緑、青の各色の蛍光体層１１４Ｒ、１１４Ｇ、１１４Ｂを設けた構造となっている。
【０００６】
そして前面板１０１と背面板１０９とは、表示電極１０６とアドレス電極１１１とが直交し、且つ、放電空間１１５を形成するように、隔壁１１３を挟んで対向して配置され、放電空間１１５には、放電ガスとして、ヘリウム、ネオン、アルゴン、キセノンのうち、少なくとも１種類の希ガスが封入されており、隔壁１１３によって仕切られ、アドレス電極１１１と走査電極１０４および維持電極１０５との交差部の放電空間１１５が放電セル１１６として動作する。ここで、隔壁１１３の形状は、放電空間１１５を仕切るという目的からは、誘電体層１０７と当接する隔壁の頂部の表面粗さは、できる限り小さくすることで、当接部では隙間が極力小さくなるようにすることが好ましい。
【０００７】
そしてＰＤＰ１０１は、表示電極１０６、アドレス電極１１１に周期的な電圧を印加することによって放電を発生させ、この放電による紫外線を蛍光体層１１４に照射し可視光に変換させることにより、画像表示を行う。
【０００８】
ここで、隔壁１１３の形状は、例えば幅が８０μｍで高さが１４０μｍというように、厚みより高さの方が大きい形状であるため、その形成を精度良くかつ一括で行うことが困難となる場合があり、そこで、隔壁１１３の高さ方向にいくつかの層、例えば図４に示すように、下層１１３ａと上層１１３ｂとを積層した、多層構造として形成するという方法を採る場合がある（例えば、非特許文献１参照）。
【０００９】
【非特許文献１】
内池平樹、御子柴茂生共著、「プラズマディスプレイのすべて」（株）工業調査会、１９９７年５月１日、ｐ９５〜ｐ９６
【００１０】
【発明が解決しようとする課題】
しかしながら、隔壁１１３がそのような多層の積層構造であると、積層した下層１１３ａと上層１１３ｂとの界面での付着強度が不足する場合、その箇所で剥離が発生し、そこから隔壁１１３の一部、例えば上層１１３ｂ部が欠落してしまうという問題が発生する場合がある。
【００１１】
本発明はこのような課題に鑑みてなされたものであり、欠落などの発生が抑制された、多層構造の隔壁が、精度良く形成されたプラズマディスプレイパネルを実現することを目的とする。
【００１２】
【課題を解決するための手段】
上記目的を実現するために本発明のプラズマディスプレイパネルは、走査電極と維持電極とからなる表示電極を複数形成した前面板と、データ電極を表示電極に対して直交するように複数形成した背面板とを、前面板と背面板とのいずれか一方に形成した隔壁を挟んで内部に放電空間を形成するように対向配置したプラズマディスプレイパネルにおいて、隔壁は、少なくとも２層の積層構造であり、頂部の表面粗さが、積層した層の界面での粗さより小さいことを特徴とするものである。
【００１３】
【発明の実施の形態】
すなわち、本発明の請求項１に記載の発明は、走査電極と維持電極とからなる表示電極を複数形成した前面板と、データ電極を表示電極に対して直交するように複数形成した背面板とを、前面板と背面板とのいずれか一方に形成した隔壁を挟んで内部に放電空間を形成するように対向配置したプラズマディスプレイパネルにおいて、隔壁は、少なくとも２層の積層構造であり、頂部の表面粗さが、積層した層の界面での粗さより小さいことを特徴とするプラズマディスプレイパネルである。
【００１４】
以下、本発明の一実施の形態によるＰＤＰについて、図を用いて説明する。
【００１５】
図１は、本発明の一実施の形態によるＰＤＰの概略構成の一例を示す断面斜視図である。
【００１６】
ＰＤＰ１の前面板２は、前面側の、例えばガラスのような透明且つ絶縁性の基板３の一主面上に形成した、走査電極４と維持電極５とからなる表示電極６と、その表示電極６を覆う誘電体層７と、さらにその誘電体層７を覆う、例えばＭｇＯによる保護層８とを有する構造である。走査電極４と維持電極５は、電気抵抗の低減を目的として、透明電極４ａ、５ａに金属材料、例えばＡｇからなるバス電極４ｂ、５ｂを積層した構造としている。
【００１７】
また背面板９は、背面側の、例えばガラスのような絶縁性の基板１０の一主面上に形成したアドレス電極１１と、そのアドレス電極１１を覆う誘電体層１２と、誘電体層１２上の、隣り合うアドレス電極１１の間に相当する場所に位置する隔壁１３と、隔壁１３間の蛍光体層１４Ｒ、１４Ｇ、１４Ｂとを有する構造である。
【００１８】
ここで、隔壁１３は、幅よりも高さの方が大きいという形状であり、このような形状の隔壁１３を容易にかつ精度良く形成することができるように、少なくとも２層の積層した構造として形成したものである。図１には、隔壁が、下層１３ａと上層１３ｂとの２層構造の場合を示している。なおこの２層は、同一の材料を積層したものであっても良いし、異なる材料で形成することで、隔壁１３の高さ方向に物性等が異なる状態とした構成であっても良い。
【００１９】
そして、前面板２と背面板９とは、隔壁１３を挟んで、表示電極６とアドレス電極１１とが直交するように対向し、画像表示領域外の周囲を封着部材により封止した構成であり、前面板２と背面板９との間に形成された放電空間１５には、例えばＮｅ−Ｘｅ５％の放電ガスを６６．５ｋＰａ（５００Ｔｏｒｒ）の圧力で封入している。そして、放電空間１５の表示電極６とアドレス電極１１との交差部が放電セル１６（単位発光領域）として動作する。
【００２０】
ここで隔壁１３は、図２にその概略構成の断面図を示すように、例えば下層１３ａと上層１３ｂとからなる、少なくとも２層の積層構造であり、そして、頂部１３ｃの表面粗さが、下層１３ａと上層１３ｂとを積層した界面１３ｄでの粗さより小さいことを特徴とするものである。
【００２１】
すなわち、誘電体層７と当接する隔壁１３の頂部１３ｃの表面粗さが小さいことから、その箇所での隙間が小さくなり、したがって放電空間１５を仕切るという目的を十分に果たすことができ、また、積層した層の界面１３ｄでの粗さは、付着強度が十分に得られる程度に、結果的に、頂部１３ｃの表面粗さより大きく形成しており、これにより、積層した界面１３ｄでの剥離に起因する、隔壁１３の欠落という問題の発生を抑制することが可能となる。
【００２２】
また、上述のような隔壁１３の形成方法は、例えば次のようになる。
【００２３】
図３（ａ）に示すように、例えば下層１３ａ部分を基板１０に形成した誘電体層１２上の、データ電極１１の間に相当する箇所に形成する。その際、下層１３ａの頂部１３ｅは、その上に形成する上層１３ｂとの付着強度が十分に得られる程度に粗面化した状態となるようにする。そしてこの状態で、図３（ｂ）に示すように、上層１３ｂを積層して形成する。これにより、下層１３ａの頂部１３ｅは、下層１３ａと上層１３ｂとの積層の界面１３ｄとなる。また、積層して形成した上層１３ｂは、その頂部１３ｃで対向する前面板２（図１）と当接することで放電空間１５（図１）を仕切って放電セル１６（図１）を形成することとなるため、その頂部１３ｃの表面粗さは、隙間が発生して仕切りが不十分とならない程度に平滑な状態、例えば８μｍ以下となるようにする。なお、図３では、隔壁１３のパターンで下層１３ａおよび上層１３ｂを形成する例を示したが、全面に下層１３ａ、上層１３ｂを積層して形成した後、隔壁１３のパターンにパターン化するということであってもかまわない。
【００２４】
また、頂部１３ｅ、すなわち界面１３ｄや、頂部１３ｃの表面の状態を制御する方法としては、形成のための材料自身の特性や、材料に添加物を混入するなどにより、材料を塗布して焼成した後に所定の表面状態となるようにする方法や、焼成後、機械加工を加えることで所定の表面状態とする方法などを挙げることができる。
【００２５】
【発明の効果】
以上述べたように本発明によれば、放電空間を十分に仕切ることができ、かつ、少なくとも２層の積層構造で、積層した界面においては十分な付着強度が得られている隔壁を有するプラズマディスプレイパネルを実現することができる。
【図面の簡単な説明】
【図１】本発明の一実施の形態によるプラズマディスプレイパネルの概略構成を示す断面斜視図
【図２】本発明の一実施の形態によるプラズマディスプレイパネルの隔壁の概略構成を示す断面図
【図３】本発明の一実施の形態によるプラズマディスプレイパネルの隔壁の製造の流れの概略を示す図
【図４】従来のプラズマディスプレイパネルの概略構成を示す断面斜視図
【符号の説明】
１  プラズマディスプレイパネル
２  前面板
４  走査電極
５  維持電極
６  表示電極
９  背面板
１１  データ電極
１３  隔壁
１３ａ  下層の隔壁
１３ｂ  上層の隔壁
１５  放電空間
１６  放電セル
【図１】
2005032539.tif 000003
【図２】
2005032539.tif 000004
【図３】
2005032539.tif 000005
【図４】
2005032539.tif 000006